(57)【要約】【課題】  木製のささら桁を用いた階段下地構造であって、建築物の施工時に仮設階段として利用することができ、建築後は意匠性がよく、設計の自由度が高い階段下地構造、当該階段下地構造を用いた階段、及び、階段の施工方法を提供する。【解決手段】階段下地構造は、斜めに架け渡される木製の複数のささら桁と、建築物の梁と前記ささら桁の上端とを接合する上端接合部と、建築物の基礎と前記ささら桁の下端とを接合する下端接合部と、を備え、前記下端接合部は、基礎に立設される立設部と、前記立設部の上端に設けられ、前記ささら桁の下端を固定する接合構造とを備える。【選択図】図１
2018016964.tif 000002
【特許請求の範囲】
【請求項１】
斜めに架け渡される木製の複数のささら桁と、
建築物の梁と前記ささら桁の上端とを接合する上端接合部と、
建築物の基礎と前記ささら桁の下端とを接合する下端接合部と、
を備え、
前記下端接合部は、基礎に立設される立設部と、前記立設部の上端に設けられ、前記ささら桁の下端を固定する接合構造とを備えることを特徴とする階段下地構造。
【請求項２】
前記接合構造は、前記ささら桁の下端に設けられたスリット溝に挿入された下端受けプレートと、前記下端受けプレートに直交するように、前記ささら桁の下部の側面から水平に設けられたピン孔と前記下端受けプレートに設けられたピン挿入孔に挿入されてなるドリフトピンと、を有することを特徴とする請求項１に記載の階段下地構造。
【請求項３】
前記上端接合部は、前記梁に固定された梁接続部と、前記ささら桁の上端に設けられたスリット溝に挿入された上端受けプレートと、前記上端受けプレートに直交するように、前記ささら桁の上部の側面から水平に設けられたピン孔と前記上端受けプレートに設けられたピン挿入孔に挿入されてなるドリフトピンと、を有することを特徴とする請求項１又は請求項２に記載の階段下地構造。
【請求項４】
前記ささら桁が互いに平行に３本以上並べて設置されることを特徴とする請求項１から請求項３のいずれかに記載の階段下地構造。
【請求項５】
請求項１から請求項４のいずれかの階段下地構造を備えた階段であって、
間仕切壁と離間した位置に設けられており、
前記ささら桁に段板と蹴込板とがそれぞれ架設されてなることを特徴とする階段。
【請求項６】
請求項１から請求項４のいずれかの階段下地構造を備えた階段であって、
間仕切壁と離間した位置に設けられており、
前記ささら桁に蹴込板が架設されずに、段板が架設されてなることを特徴とする階段。
【請求項７】
少なくとも基礎及び梁を施工した後で、且つ、内装を施工する前に、請求項１から請求項４のいずれかの階段下地構造を設置し、
前記ささら桁に渡し板を仮設して、仮設階段として使用し、
その後前記渡し板を取り外して、少なくとも段板を固定することを特徴とする階段の施工方法。
【発明の詳細な説明】
【技術分野】
【０００１】
本発明は、建築物に設置される階段下地構造、階段、及び階段の施工方法に関する。
【背景技術】
【０００２】
住宅等の建築物の屋内に木製階段を設ける場合には、施工時の損傷や汚損を防止するため、建築物の内装工事の直前に当該木製階段を構築することが一般的である。このため、ある程度施工が進むまでは、上下階の移動には、梯子や仮設階段を別途設置する必要があり、上下階の移動の安全性が低い問題や仮設階段を設置する手間が掛かる問題があった。
【０００３】
そこで、建方時に鋼製階段を設置し、この鋼製階段を仮設階段としてその後の工程に利用し、内装時に鋼製階段を覆う木製階段を設置する工法が提案されている（例えば、特許文献１）。また、左右の側桁の間に下地踏板を設置して建築物の施工中に仮設階段として利用し、その後、化粧踏板で下地踏板を完全に覆って階段を完成させる工法が提案されている（例えば、特許文献２）。
【０００４】
これらの工法によると、仮設階段として利用した階段を完成した建築物の階段としても利用できるので、作業手間を減らすことができる利点がある。
【先行技術文献】
【特許文献】
【０００５】
【特許文献１】特開平６−２８８０５２号公報
【特許文献２】特開２０１５−３１０９０号公報
【発明の概要】
【発明が解決しようとする課題】
【０００６】
しかし、特許文献１の発明では、いったん、鋼製階段を設置し、さらに、それを覆うように木製階段を設置するものであるので、結局、コスト及び施工手間が掛かる。また、特許文献２の発明では、仮設踏板を完全に覆うために化粧踏板を複雑な形状にする必要があり、加工コストが増加する問題がある。
【０００７】
本発明は、木製のささら桁を用いた階段下地構造であって、建築物の施工時に仮設階段として利用することができ、建築後は意匠性がよく、設計の自由度が高い階段下地構造、当該階段下地構造を用いた階段、及び、階段の施工方法を提供することを目的とする。
【課題を解決するための手段】
【０００８】
本発明の第１の階段下地構造は、斜めに架け渡される木製の複数のささら桁と、建築物の梁と前記ささら桁の上端とを接合する上端接合部と、建築物の基礎と前記ささら桁の下端とを接合する下端接合部と、を備え、前記下端接合部は、基礎に立設される立設部と、前記立設部の上端に設けられ、前記ささら桁の下端を固定する接合構造とを備えることを特徴としている。
【０００９】
第２の階段下地構造は、前記接合構造は、前記ささら桁の下端に設けられたスリット溝に挿入された下端受けプレートと、前記下端受けプレートに直交するように、前記ささら桁の下部の側面から水平に設けられたピン孔と前記下端受けプレートに設けられたピン挿入孔に挿入されてなるドリフトピンと、を有することを特徴としている。
【００１０】
第３の階段下地構造は、前記上端接合部は、前記梁に固定された梁接続部と、前記ささら桁の上端に設けられたスリット溝に挿入された上端受けプレートと、前記上端受けプレートに直交するように、前記ささら桁の上部の側面から水平に設けられたピン孔と前記上端受けプレートに設けられたピン挿入孔に挿入されてなるドリフトピンと、を有することを特徴としている。
【００１１】
第４の階段下地構造は、前記ささら桁が互いに平行に３本以上並べて設置されることを特徴としている。
【００１２】
本発明の階段は、第１から第４のいずれかの階段下地構造を備えた階段であって、間仕切壁と離間した位置に設けられており、前記ささら桁に段板と蹴込板とがそれぞれ架設されてなることを特徴としている。
【００１３】
本発明の別の形態の階段は、第１から第４のいずれかの階段下地構造を備えた階段であって、間仕切壁と離間した位置に設けられており、前記ささら桁に蹴込板が架設されずに、段板が架設されてなることを特徴としている。
【００１４】
本発明の階段の施工方法は、少なくとも基礎及び梁を施工した後で、且つ、内装を施工する前に、請求項１から請求項４のいずれかの階段下地構造を設置し、前記ささら桁に渡し板を仮設して、仮設階段として使用し、その後前記渡し板を取り外して、少なくとも段板を固定することを特徴としている。
【発明の効果】
【００１５】
本発明の第１の階段下地構造によると、木製のささら桁の上端が建築物の梁に上端接合部によって接合され、ささら桁の下端が建築物の基礎に下端接合部によって接合されて、斜めに架け渡されており、下端接合部が、基礎に立設される立設部と、立設部の上端に設けられささら桁の下端を固定する接合構造とを備えている。したがって、本階段下地構造は、基礎と柱及び梁が組み立てられた段階で設置することができ、内装や電気配線などの他の要素を施工する前から階段下地構造を設置することができる。このように、階段下地構造を他の要素の施工前に設置することができれば、ささら桁に渡し板を仮設して仮設階段として利用することができるので、上階への資材の搬入や作業者の昇降を安全に行うことができる。また、このようにささら桁が梁と基礎とに接合されて階段を支える構成であることから、階段の両側に壁を設ける必要がなく、間仕切壁などの壁から独立した階段とすることができ、階段を設置する位置の設計の自由度を高めることができる。さらに、ささら桁を木製とすることで、例えば石膏ボードを設置する際のビス打ちの下地材として用いることもできるので、階段下地構造の下面や側面に簡単に化粧材を固定することができる。
【００１６】
本発明の第２の階段下地構造によると、ささら桁の下端を固定する接合構造は、ささら桁の下端に設けられたスリット溝に挿入された下端受けプレートと、下端受けプレートに直交するように、ささら桁の下部の側面から水平に設けられたピン孔と下端受けプレートに設けられたピン挿入孔に挿入されてなるドリフトピンと、を有するので、ささら桁下端の接合箇所の強度を固めることができる。
【００１７】
本発明の第３の階段下地構造によると、上端接合部は、梁に固定された梁接続部と、ささら桁の上端に設けられたスリット溝に挿入された上端受けプレートと、上端受けプレートに直交するように、ささら桁の上部の側面から水平に設けられたピン孔と上端受けプレートに設けられたピン挿入孔に挿入されてなるドリフトピンと、を有するので、ささら桁上端の接合箇所の強度を固めることができる。
【００１８】
本発明の第４の階段下地構造によると、ささら桁が互いに平行に３本以上並べて設置されるので、幅の広い階段や観客席のようなひな壇の下地として用いることができる。そしてささら桁の上端は梁に固定され下端は基礎に固定されているので３本以上並べたとしてもささら桁の下に階段を支持する柱等の部材は必要なく、階段下の空間を自由に利用することができる。
【００１９】
本発明の階段によると、上述の第１から第４の階段下地構造を用いた階段であり、間仕切壁と離間した位置に設けられ、ささら桁に段板と蹴込板とがそれぞれ架設されてなるので、間仕切壁から独立した階段であっても安定感のあるデザインにすることができ、また、このような独立した階段であっても下部を収納などの用途で利用することができる。
【００２０】
本発明の別の形態の階段によると、上述の第１から第４の階段下地構造を用いた階段であり、間仕切壁と離間した位置に設けられ、ささら桁に蹴込板を設けずに段板が架設されてなるので、本発明の階段下地構造を用いたシースルー階段とすることができる。
【００２１】
本発明の階段の施工方法は、少なくとも基礎及び梁を施工した後で、且つ、内装を施工する前に、第１から第４のいずれかの階段下地構造を設置し、ささら桁に渡し板を仮設して、仮設階段として使用するので、別途仮設階段を設置する場合や梯子などを用る場合に比べて上階への資材の搬入や作業者の昇降を安全に、且つ低コストで行うことができる。
【図面の簡単な説明】
【００２２】
【図１】階段下地構造の全体構成を示す断面図。
【図２】階段下地構造のささら桁の上端と梁との上端接合部を説明する一部省略拡大図。
【図３】上端金物の外観構成を示す斜視図。
【図４】階段下地構造のささら桁の下端と基礎との下端接合部を説明する一部省略拡大図。
【図５】下端接合部を構成する立設部及び接合構造を説明する斜視図。
【図６】ささら桁の上端側スリットに上端金物の上端受けプレートを挿入し、下端側スリットに下端受けプレートを挿入する前の状態を示す斜視図。
【図７】ドリフトピンをささら桁の上端側ピン孔及びささら桁の下端側ピン孔に挿通させる状態を説明する斜視図。
【図８】階段下地構造を完成させた状態を説明する斜視図。
【図９】渡し板を仮設して、仮設階段として使用する状態の階段下地構造を説明する斜視図。
【図１０】ささら桁を３本平行に架設した状態を説明する斜視図。
【図１１】階段下地構造に段板及び蹴込板を固定して階段を完成した状態を説明する断面図。
【図１２】基礎の立ち上がり部に下端接合部が固定される構成の階段下地構造の変形例を示す断面図。
【図１３】変形例の階段下地構造のささら桁の下端と基礎との下端接合部を説明する一部省略拡大図。
【図１４】変形例の下端接合部を構成する立設部及び接合構造を説明する斜視図。
【発明を実施するための形態】
【００２３】
以下、本発明に係る階段下地構造１、階段２、及び階段の施工方法の最良の実施形態について、各図を参照しつつ説明する。本実施形態の階段下地構造１は、図１に示すように、斜めに架け渡されるささら桁３と、ささら桁３の上端と梁５とを接合する上端接合部４と、ささら桁３の下端と基礎６とを接合する下端接合部７とを備えている。
【００２４】
ささら桁３は、図１及び図６に示すように、集成材を加工して形成され、斜めに架け渡される長尺材である。ささら桁３の下側の面は傾斜する平面であり、ささら桁３の上側は、水平面と鉛直面とが交互に１４段設けられた階段状に形成されている。ささら桁３の上端は、図２及び図６に示すように、鉛直な平面が形成されるとともに当該平面に沿って鉛直方向に上端側スリット溝３１が形成されている。ささら桁３の上端近傍の側面には、一方の側面から他方の側面に貫通する上端側ピン孔３２が上端側スリット溝３１と直交するように上下に２つ設けられている。ささら桁３の下端は、図４及び図６に示すように、水平な平面が形成されるとともに当該平面に沿って水平方向に下端側スリット溝３３が形成されている。ささら桁３の下端近傍の側面には、一方の側面から他方の側面に貫通する下端側ピン孔３４が７つ設けられている。
【００２５】
上端接合部４は、図２、図３及び図６に示すように、梁５に固定されるとともにささら桁３の上端を保持する鋼製の上端金物４１と、ドリフトピン８とにより構成されている。上端金物４１は、図３に示すように、平板状の接続プレート４２と、梁５に固定される梁接続部４３と、ささら桁３の上端を受ける上端受けプレート４４と、を有する。また、ドリフトピン８は、図６に示すように、上端受けプレート４４に直交するように、ささら桁３の上部の側面から水平に設けられた上端側ピン孔３２と上端受けプレート４４に設けられたピン挿入孔４５に挿入される。
【００２６】
接続プレート４２は梁５とささら桁３との間に挟まれる平板状のプレートである。梁接続部４３は、接続プレート４２の梁５側の面から突出するように固定され梁５を貫通する３本のボルト部４６と、ボルト部４６に螺着し、接続プレート４２の反対側から梁５に当接して、梁５に上端金物４１を固定するナット部４７とを有している。上端受けプレート４４は接続プレート４２のささら桁３側の面から突出するように固定されており、ささら桁３の上端に設けられた上端側スリット溝３１に挿入される平板状のプレートである。上端受けプレート４４には上部に受け溝４８が形成され、下部にピン挿入孔４５が設けられている。
【００２７】
上端接合部４は、接続プレート４２と梁５を貫通する３本のボルト部４６に螺着するナット部４７とで梁５を挟み込んで、当該梁５に固定されており、上端受けプレート４４をささら桁３の上端に設けられた上端側スリット溝３１に挿入して、ドリフトピン８を上端側ピン孔３２とピン挿入孔４５を貫通するように挿入して、梁５にささら桁３の上端を固定している。
【００２８】
下端接合部７は、図４及び図５に示すように、基礎６に立設される立設部７１と、立設部７１の上端に設けられ、ささら桁３の下端を固定する接合構造７２とを備える。立設部７１は、基礎６に固定される基礎プレート７３と、基礎プレート７３の中央から上方に立ち上がって設けられ中間部に高さ調整機構７４を有する束部７５と、束部７５の上端に設けられた平板状のフランジ部７６と、フランジ部７６に固定するベース部７７と、ベース部７７の中央から立ち上がって形成される角柱部７８と、角柱部７８の上端に形成された角柱上プレート７９と、角柱上プレート７９から立ち上がる水平断面が十字状の十字支持部８０と、により構成されている。
【００２９】
基礎プレート７３は基礎６の土間コンクリート６１又は基礎スラブ上に、図示しないがコンクリート釘と、コンクリート及び金属用の接着剤と、を併用して固定されている。束部７５は内側にネジが切られた円筒状に形成される上筒部８１及び下筒部８２と、外周にネジが切られた円柱形状に形成されており、上側及び下側がそれぞれ上筒部８１及び下筒部８２に螺合する円柱部８３と、を備えている。上筒部８１と下筒部８２とは、ネジの向きが互いに逆向きになっており、円柱部８３も上側と下側のネジが逆向きになっている。円柱部８３の高さ方向の中央はナット状の操作部８４が形成されており、図示しないレンチで操作部８４を周回り方向に回転させることによって円柱部８３を回転させ、上筒部８１及び下筒部８２との螺合が締結又は弛緩することによって、上筒部８１と下筒部８２とが互いに接近又は離反するように移動し、束部７５の高さを調整することができる。
【００３０】
フランジ部７６とベース部７７とは互いに重なり合う位置に連結孔が設けられており、ボルト８５及びナット８６で締結して互いに固定されている。角柱部７８は四角筒の鋼材であり、同じ鋼材の角柱上プレート７９が上端に溶接されて、当該角柱上プレート７９に十字支持部８０が溶接固定されている。
【００３１】
また、接合構造７２は、十字支持部８０に支持される水平な板状で上面がささら桁３の下端に当接する当接部８７と、当接部８７から立ち上がる板状で、ささら桁３の下端に形成された下端側スリット溝３３に挿入される下端受けプレート８８と、ささら桁３の下端と下端受けプレート８８とを接続するドリフトピン８とを有している。下端受けプレート８８にはピン挿入孔８９が７つ形成されており、下端受けプレート８８をささら桁３の下端に設けられた下端側スリット溝３３に挿入して、ドリフトピン８をささら桁３の下端側ピン孔３４と下端受けプレート８８のピン挿入孔８９とを貫通するように挿入して、基礎６にささら桁３の下端を固定している。
【００３２】
このように、本実施形態の階段下地構造１は、ささら桁３の上端を梁５に接合し、ささら桁３の下端を基礎６に接合してささら桁３を建築物の構造躯体に架け渡した構造である。階段下地構造１のささら桁３は間隔を開けて平行に２本以上架け渡されている。そして、階段２は図１１に示すように、この階段下地構造１おけるささら桁３に段板９と蹴込板１０とが架設された構成である。詳しくは後述する。
【００３３】
階段下地構造１は、少なくとも建築物の基礎６及び梁５が施工された後で、且つ内装を施工する前に設置される。具体的には、少なくとも建築物の基礎６を打設し、柱、梁５を組み上げた後であり、例えば小屋組みを組み上げて屋根の防水を施工した後に、階段下地構造１を設置することが防水上は好ましい。また、少なくとも上階の電気配線や床板の施工、石膏ボードや壁紙の施工よりも前に階段下地構造１を設置することが、安全性や資材の上階への搬入の利便性などの観点から好ましい。
【００３４】
次に、以上のように構成される階段下地構造１を有する階段の施工方法について、図６から図１２を参照しつつ説明する。上階の図示しない柱の間に梁５が架設されて建築物の構造躯体が組み立てられる際に、予め階段２の上端が配置される位置の梁５には、上端金物４１が固定されている。上端金物４１は、梁５の階段２を設置する側の側面に接続プレート４２を当接させて、上端受けプレート４４を突出させている。接続プレート４２は梁５を貫通する３本のボルト部４６が固定されており、このボルト部４６に螺着するナット部４７が接続プレート４２の反対側から梁５に当接して梁５に上端金物４１を固定している。
【００３５】
一方、基礎６の土間コンクリート６１には、階段２の下端を配置する位置の下方に、立設部７１が位置決めされて接着剤及びコンクリート釘により固定され、束部７５の高さ調整機構７４によって高さ調整された下端接合部７が立設される。
【００３６】
そして、図６に示すように、ささら桁３の上端近傍の側面に形成されている上端側ピン孔３２の内、上側のピン孔３２ａにドリフトピン８を挿入して、上端金物４１の上端受けプレート４４を上端側スリット溝３１に挿入させるようにささら桁３を移動させて、上側の上端側ピン孔３２に挿入されているドリフトピン８を上端受けプレート４４の受け溝４８に引っ掛けて、ささら桁３の上端を梁５に係止する。そして、ささら桁３の下端に設けられた下端側スリット溝３３に下端接合部７の下端受けプレート８８を挿入させて、ささら桁３をその下端面が下端接合部７の当接部８７に当接して載置された状態に配置する。
【００３７】
その後、図７に示すように、ドリフトピン８をささら桁３の上端側ピン孔３２の下側のピン孔３２ｂと上端受けプレート４４のピン挿入孔４５とに挿通させて、上端接合部４を完成させ、ささら桁３の上端を梁５に接合する。そして、７つのドリフトピン８を７つの下端側ピン孔３４と下端受けプレート８８のピン挿入孔８９とに挿通させて、下端接合部７を完成させて、ささら桁３の下端を基礎６に接合する。
【００３８】
そして、上述のような工程を繰り返して、図８に示すように、互いに平行な２本のささら桁３を梁５と基礎６との間に架け渡して、本実施形態の階段下地構造１を完成させる。この階段下地構造１には、図９に示すように、仮設の渡し板１１を２本のささら桁３の水平面上にビスなどで仮固定して仮設階段として建築物の施工に利用できる。したがって、内装等を施工する前に、この階段下地構造１を設置し渡し板１１を仮設して仮設階段として使用することで、上階への資材の搬入や作業者の昇降の安全性を高めることができるとともに、別途仮設階段を設置し、又は梯子を設置する必要がないので低コストで施工することができる。
【００３９】
本実施形態の階段下地構造１は、２本のささら桁３を平行に並べたものに限定されるものではない。例えば、建築物に観客席のようなひな壇を設ける場合や幅の広い階段２を設置する場合には、段板９が長尺となるので、この段板９に加わる荷重を支えるために、図１０に示すように、３本以上のささら桁３を並べた階段下地構造１を用いることができる。本実施形態の階段下地構造１は、梁５及び基礎６に階段下地構造１が接合されるものであるので、３本以上並べたとしてもささら桁３の下に階段２を支持する柱等の部材は必要なく、階段２下の空間を自由に利用することができる。
【００４０】
図９に示したような仮設階段として、建築物の施工時の上階への資材の搬入や作業者の昇降に使用し、建築物の内装がほとんど完成すると、階段下地構造１には、段板９、蹴込板１０などを固定して階段２を完成させる。階段下地構造１を設置した基礎６の上には、鋼製床束１２、大引１３、根太１４などで床組みを形成し、その上に床板１５を施工している。そして、階段下地構造１は、まず、仮設階段に用いた渡し板１１を取り外し、蹴込板１０と段板９とを例えば接着剤などによって順次固定する。ささら桁３の下面には、例えば強化石膏ボード１６をビスで固定することが、階段２の耐火性の観点から好ましい。ささら桁３は木製であるので、下面や側面に化粧板材などをビスなどで簡単に固定することができる。
【００４１】
本実施形態の階段２は、このように、梁５と基礎６とに接合されて架設される構成であるので、図示しない間仕切壁と離間した位置に設けることができ、間仕切壁とは独立した階段２であっても蹴込板１０を有する構成とすることで、安定感のあるデザインにすることができ、また、このような独立した階段２であっても下部を収納などの自由な用途に利用することができる。
【００４２】
なお、本実施形態における階段２は、間仕切壁から離間して設けられているが、本発明の階段２及び階段下地構造１は、一方の側面又は両方の側面が間仕切壁に隣接して設けられるものを排除するものではない。また、本実施形態における階段２は、段板９と蹴込板１０とを有する構成であるが、例えば、本実施形態の階段下地構造１のささら桁３に蹴込板１０が架設されずに、段板９が架設されてなる構成であってもよい
【００４３】
この場合、本実施形態を用いた階段下地構造１を用いたシースルー階段とすることができる。なお、この場合、ささら桁３を塗装して化粧階段とすることが好ましい。
【００４４】
また、本実施形態においては、下端接合部７は、土間コンクリート６１又は基礎スラブに立設される構成であるが、これに限定されるものではなく、図１２に示すように、基礎６の立ち上がり部６２に下端接合部７ａが固定される構成であってもよい。この実施形態では下端接合部７ａは、図１３及び図１４に示すように、ささら桁３の下端と基礎６とを接合するものであり、基礎６の立ち上がり部６２に立設される立設部７１ａと、立設部７１ａの上端に設けられ、ささら桁３の下端を固定する接合構造７２ａとを備える。
【００４５】
立設部７１は、基礎６の立ち上がり部６２に固定されるベース部７７ａと、ベース部７７ａの中央から上方に立ち上がる水平断面が十字状の十字支持部８０ａと、により構成されている。ベース部７７ａは基礎６の立ち上がり部６２に形成された図示しないアンカーに固定されている。ベース部７７ａの上面中央には、十字支持部８０ａが溶接固定されている。また、接合構造７２ａは、上述の実施形態と同様の構成であるので、同一の符号を付して説明を省略する。
【００４６】
このように、本実施形態の階段下地構造１は、基礎６と柱及び梁５が組み立てられた段階で設置することができ、内装や床板、電気配線などの他の要素を施工する前から階段下地構造１を設置することができるので、ささら桁３に渡し板１１を仮設して仮設階段として利用することができるので、上階への資材の搬入や作業者の昇降を安全に行うことができ、また、このようにささら桁３が梁５と基礎６とに接合されて階段２を支える構成であることから、階段２の両側に壁を設ける必要がなく、間仕切壁などの壁から独立した階段２とすることができ、階段２を設置する位置の設計の自由度を高めることができる。さらに、ささら桁３を木製とすることで、例えば石膏ボードを設置する際のビス打ちの下地材として用いることもできるので、階段下地構造１の下面や側面に簡単に化粧材を固定することができる。
【００４７】
なお、本発明の実施の形態は上述の形態に限ることなく、本発明の思想の範囲を逸脱しない範囲で適宜変更することができることは云うまでもない。
【産業上の利用可能性】
【００４８】
本発明に係る階段下地構造１、階段２、及び階段の施工方法は、例えば２階建ての木造住宅を建築する際に好適に適用することができる。
【符号の説明】
【００４９】
１      階段下地構造
２      階段
３      ささら桁
４      上端接合部
５      梁
６      基礎
７      下端接合部
８      ドリフトピン
９      段板
１０    蹴込板
１１    渡し板
３１    上端側スリット溝
３２    上端側ピン孔
３３    下端側スリット溝
３４    下端側ピン孔
４３    梁接続部
４４    上端受けプレート
４５    ピン挿入孔
７１    立設部
７２    接合構造
８８    下端受けプレート
８９    ピン挿入孔
【図１】
2018016964.tif 000003
【図２】
2018016964.tif 000004
【図３】
2018016964.tif 000005
【図４】
2018016964.tif 000006
【図５】
2018016964.tif 000007
【図６】
2018016964.tif 000008
【図７】
2018016964.tif 000009
【図８】
2018016964.tif 000010
【図９】
2018016964.tif 000011
【図１０】
2018016964.tif 000012
【図１１】
2018016964.tif 000013
【図１２】
2018016964.tif 000014
【図１３】
2018016964.tif 000015
【図１４】
2018016964.tif 000016
【手続補正書】
【提出日】平成29年11月17日(2017.11.17)
【手続補正１】
【補正対象書類名】特許請求の範囲
【補正対象項目名】請求項１
【補正方法】変更
【補正の内容】
【請求項１】
斜めに架け渡される木製の複数のささら桁と、
建築物の梁と前記ささら桁の上端とを接合する上端接合部と、
建築物の基礎と前記ささら桁の下端とを接合する下端接合部と、
を備え、
前記下端接合部は、基礎に立設されて前記下端接合部の高さ調整機構を有する立設部と、前記立設部の上端に設けられ、前記ささら桁の下端を固定する接合構造とを備えることを特徴とする階段下地構造。
【手続補正２】
【補正対象書類名】明細書
【補正対象項目名】０００８
【補正方法】変更
【補正の内容】
【０００８】
本発明の第１の階段下地構造は、斜めに架け渡される木製の複数のささら桁と、建築物の梁と前記ささら桁の上端とを接合する上端接合部と、建築物の基礎と前記ささら桁の下端とを接合する下端接合部と、を備え、前記下端接合部は、基礎に立設されて前記下端接合部の高さ調整機構を有する立設部と、前記立設部の上端に設けられ、前記ささら桁の下端を固定する接合構造とを備えることを特徴としている。